(57)【要約】  本発明は、園芸用の蓋を備えた単一材料のコンテナに関する。本発明のコンテナは、６つの部品、すなわち、ベース（１）、２つの側面パネル（２、２’）、２つの端面パネル（３、３’）、および蓋（４）を備え、全て中密度または高密度の木材繊維により作製される。上記部品は、一連のフランジ（１１および２９）を用いて組立てられ、フランジは、前記部品の内の一つから突出し、他の部品にあるそれぞれの溝（１９および１７）と舌および溝型様式で結合される。箱は、側面パネルおよび端面パネルの上端に提供され、各パネルの下端に提供される同一形状の凹部と対応する傾斜縁を画成する上方への突出部（２０、２０’；２４、２４’）を形成するスタック手段も備え、それにより、コンテナが自動的に整列する。上記説明の固定フランジの外側に突出する自由端部は、パレット化したコンテナ間に空気が通る通路を画成するように、箱の間のスペーサを形成する。【選択図】  図１
2008526626.tif 000002
【特許請求の範囲】
【請求項１】
蓋付きの果物および野菜の農産物を収納するための、通気用の孔およびスタックのための手段を組み込んだ形式の、単一材料のパッケージであって、
５片のＭＤＦ（中密度または高密度の繊維）または何らかの他の類似製品から成り、
前記片は、舌および溝型結合による固定手段で嵌合される底片（１）、２つの側片（２）、（２'）、２つの端片（３）、（３'）、および上片（４）を備え；
前記手段は、詳細には、前記片の幾つかから出て、他の片に作製したスロット（１９）および（１７）それぞれと結合する複数のタブ（１１）および（２９）であり；
前記上片（４）は、結合した後に、箱が転倒した場合、収納物がこぼれるのを防ぐように、開口部と結合させることができる；ことを特徴とする、
単一材料のパッケージ。
【請求項２】
前記箱の端片（３）、（３'）の両側縁にある前記タブ（２９）が台形であり；
長い方の底辺は、結合されるスロットと同じ長さを有するとともに、短辺に小さな切り欠き（３０）を有し；
前記切り欠きは、歯（３１）を生成する前記切り欠きを結合する部分の厚さに基づく幅を有し；
それにより、前記タブを前記スロットに挿入した後、前記箱の端片を下方に押し下げることにより、前記切り欠きを前記側片に固定できる；ことを特徴とする、
請求項１の蓋付きの果物および野菜の農産物を収納するための単一材料のパッケージ。
【請求項３】
前記タブ（２９）の内の少なくとも一つが、楔（３２）を前記タブの上縁に組み込み：
前記楔は、弾性変形により前記スロット（１７）に結合された後は、前記側片が外れるのを防ぐ；ことを特徴とする、
前記請求項の蓋付きの果物および野菜の農産物を収納するための単一材料のパッケージ。
【請求項４】
前記タブ（１１）は、
台形であって、前記対応するスロットに対して位置決めするのに役立つ面取りされた、および丸められた提示領域（１２）を有する台形；
前記スロットより僅かに長い拡張領域（１３）；および、
逆台形領域（１４）であって、これを受け入れる部分の厚さと等しい幅を有し、その最も狭い領域は前記受入スロットと同じ長さを有する逆台形領域（１４）；
を有することを特徴とする、
請求項１の蓋付きの果物および野菜の農産物を収納するための単一材料のパッケージ。
【請求項５】
適切にスタックするための前記手段が、前記箱の側片（２）、（２'）および箱の端片（３）、（３'）の上端の上方延在部分で形成され：
前記延在部分は、傾斜縁（２０）、（２０’）、（２４）、（２４’）を決定し；
前記傾斜縁は、その下端（２１）、（２１’）、（２５）、（２５’）に作製された同一幾何形状の切り欠きと一致し；
それにより、前記スタックした箱が前記傾斜縁により互いに固定され、箱自体の重量により決まる自己求心効果を有する；ことを特徴とする、
請求項１の蓋付きの果物および野菜の農産物を収納するための単一材料のパッケージ。
【請求項６】
前記蓋（４）が、前記蓋の中央領域から突き出る小さなタブ（３７）により前記箱に結合され；
前記結合は、前記楕円孔（３４）の屈曲によりなされ；
前記蓋は、孔（３５）によりハンドルとして用いることができる；ことを特徴とする、
請求項１の蓋付きの果物および野菜の農産物を収納するための単一材料のパッケージ。
【請求項７】
固定タブ（２９）の自由に外側に突出する端部および側片のスロット（１７）と縁（１６）、（１６'）との間に存在する距離が、箱の間のスペーサを構成し、前記箱をパレット化する場合に、前記箱の間にコンジット（４１）を画成し、前記箱の間の空気循環を容易にすることを特徴とする、前記請求項の蓋付きの果物および野菜の農産物を収納するための単一材料のパッケージ。
【発明の詳細な説明】
【発明の目的】
【０００１】
本発明は、果物および野菜の農産物を市販する際に用いる形式の箱をカバーし、より詳細には、収納する農産物の通気を容易にする孔を組み込んだ中密度もしくは高密度の木材繊維、または何らかの他の類似製品から成る箱をカバーする。
【０００２】
本発明の目的は、分解して運搬が可能で、組立て容易、ステープルや釘または何らかの接着剤が不要、スタック容易で内部に保持した農産物に最適な通気を提供するリサイクル可能な、単一材料で作製した重い負荷に耐えることのできるパッケージを提供することにある。
【発明の背景】
【０００３】
果物および野菜の農産物を格納し、輸送するために段ボール箱を用いるのは周知である。これらは分解して格納でき、最小の占有空間で済むという利点を有するが、かかる箱の構造は、湿度があると剛性が急激に低下するというもう一つの問題があるのは別にしても、剛性が非常に低いために、過剰に重い農産物を格納するために用いることができないという欠点を含んでいる。
【０００４】
この種の農産物に木製箱を用いることも多い。これらの箱は高い剛性を有するが、組み立て工程を複雑にするステープル、釘または何らかの接着剤が組立てに必要であり、その結果、最終農産物価格が高くなってしまう。
【０００５】
この形式の箱は更に、ステープルまたは釘があるので、リサイクル処理中にこれらを除去するのが複雑になり、リサイクルが困難という問題もあり、ステープル付きの箱が許容されない国がある程である。
【０００６】
この点を別にしても、多くの国で、木製箱の使用は、害虫を死滅させる処理を木材に施すよう義務付ける特定の法律の対象となっている。常に遵守されているとは言えないが、これを保証する該当の証明書が必要である。
【０００７】
この形式の箱は、組立てて供給されるという別の問題があり、その結果、利用できる空間を使い尽くしてしまい、その経済的影響を伴う。
【０００８】
最近は、通気により保存状態を改良するよう側面に孔、スリットまたはスロットを付けた段ボール箱および木製箱も周知である。この解決策は、箱を縦にスタックする場合は妥当であるが、空間理由から、箱の幾つかの積み重ねを横に互いにスタックして幾つかの列を形成する場合、外側に位置する箱がこれらを完全に覆うので、他の箱に空気を送るのが不可能になり、格納した農産物に損傷が生じる。
【発明の説明】
【０００９】
本発明で提案する蓋付きの果物および野菜の農産物を収納するための単一材料パッケージは、上記問題を全体的に満足する解決策を提供することを意図して、６片の「ＭＤＦ」の中密度もしくは高密度の木材繊維、または何らかの他の類似製品により作製されている。これらの片（部材）は、底片、２つの側片、２つの端片および上片つまり蓋を備える。これら全ての片は、釘、ステープルまたは何らかの種類の接着剤を必要とせずに容易に互いに嵌めることができる。
【００１０】
底片は、面取りした隅部、その面全体に均等に分布する様々な半径の複数の孔、短辺に沿って長手方向に延在する一連のスロット、側片を前記底片に容易に組付けるよう長辺から突出する複数の台形タブ、を有する基本的に矩形の片を備える。
【００１１】
側片は、箱の内容物の通気を容易にする上辺の幅広い切り欠き、面取りした下縁、ならびに両側辺および底縁の複数のスロットであって、下縁の場合は、底片の長辺から突出するタブと位置が一致し、以下に説明する箱の端片から突出するタブと位置が一致しするスロット、を有する基本的に矩形の本体を備える。
【００１２】
箱の端片は、底片の長辺から突出するタブと同じ種類の複数の台形タブを下縁に組み込んである面取りした下縁を有する基本的に矩形の本体を備える。側縁には、幾つかの台形タブがあり、台形タブの下縁には、圧力で摺動させて側片と舌および溝型結合するための歯を形成する小さな切り欠きがあり、スロットに結合すると、前記側縁は、箱の端片を引いても外せなくなる楔を有する。端片は、中央上方にハンドル状の、通常は楕円形の孔も有し、上片と結合するための、上縁中央に小さな延在部つまりタブを有する。
【００１３】
基本的に矩形を有するとともに、箱の開口部と一致するこの上片は、内部の農産物の適切な通気のための、かつ内容物を見るのに役立てるための幾つかの孔と、箱の端片にある前記楕円孔と結合する短辺の中央領域にある２つの付属部であって、取り付けた後は、上片の孔によってこの上片を箱のハンドルとして用いることができる付属部を有する。
【００１４】
箱の側片および端片はともに、上縁に三角形状の延在部つまり付属部を有する。これらの延在部は、箱の縦方向の完全なスタックに有用であり、箱が何らかの理由で完全に整列配置されていない場合、端片および側片の両方の面取りを施した下縁がこれらの延在部の傾斜縁と一致するので、前記傾斜面上の箱はそれ自体の重量で適切な位置に摺動する。
【００１５】
スタックの安定度を高めるため、次いで、箱の端片は、上縁に沿う幾つかの台形タブを有し、そのタブは、直ぐ上の箱に属する端片の縁を固定する底部のタブと、舌および溝型結合を構成するように間隔を空けてある。
【発明の好ましい実施形態】
【００１６】
特に図１を参照して図を見ると、本発明が提案する果物および野菜の農産物のための箱は、底片（１）、２つの側片（２）、（２’）、２つの端片（３）、（３’）および蓋（４）を備え、全てを一体に結合することができる。
【００１７】
底片（１）は、大小の直径の複数の円形孔（５）および（６）をそれぞれ、底片の表面領域全体にわたって離間して配置し、端片（３）、（３'）と舌および溝型結合するために、短辺（８）、（８’）に沿って長手方向に一連のスロット（７）を分布させた基本的に矩形の本体を備える。また、底片（１）は、４つの面取りした隅部（９）、および以下に説明する結合編成で、側片（２）、（２'）に舌および溝型結合するための長辺（１０）、（１０’）から出る複数のタブ（１１）を有する。
【００１８】
図２でわかるように、これらのタブ（１１）は、対応するスロットに対して位置決めするのに役立つ、面取りをした縁がある面取り提示領域（１２）を有する台形と、前記スロットより僅かに長い拡張領域（１３）と、幅が係止される部分の厚さと等しく、かつ最も狭い長手領域が、係止スロットと同じ長さを有する逆台形領域（１４）と、を有する。
【００１９】
側片（２）、（２'）は、上部長辺に従来の切り欠き部（１５）をもつ基本的に矩形の本体を備える。この切り欠き部は、縁を大きく面取りされて、箱内部に収容した農産物の通気を増加させる矩形の切り欠きである。
【００２０】
側片（２）、（２'）は、両短辺（（１６），（１６’））、および下縁（１８）に、端片（３）、（３'）および底片（１）とのそれぞれの組立ての基準（１９）となる幾つかのスロット（１７）を組み込む。
【００２１】
更に、これらの側片（２）、（２'）の端部から２つの三角形の拡張部（２０）、（２０’）が出ており、その拡張部の傾斜は、２つの面取りした下部隅部（２１）、（２１'）の傾斜と一致する。
【００２２】
端片（３）、（３'）は、底片（１）の長辺（１０）、（１０’）にあるタブと同一種類の複数のタブ（２３）が下縁領域（２２）に備えられる基本的に矩形の本体を有する。
【００２３】
前記箱の端片（３）、（３'）の端部から、２つの三角形の拡張部（２４）、（２４’）が出ており、その拡張部の傾斜は、２つの面取りした下部隅部（２５）、（２５'）の傾斜と一致する。これら、ならびに箱の側片（２）、（２'）に設けた三角形の拡張部（２０）、（２０’）および面取りをした隅部（２１）、（２１'）により、自己スタック効果が得られる。その結果、上の箱が適切に配置されていない場合、適切な位置に落ち着くまで、前記傾斜面上を上の箱が自重で滑り落ちる。
【００２４】
スタックした箱の安定度を大きく確保するため、次に、箱の端片（３）、（３'）は、幾つかの台形のタブ（２７）を、底片（１）の下側から突出している箱の端片のタブ（２３）の面と舌および溝型結合を形成する間隔で、上縁（２６）に組み込む。
【００２５】
箱の端片（３）、（３'）は、両側縁（２８）、（２８'）に、側片（２）、（２'）の板厚と同一の幅をもつ小さな切り欠き（３０）を下縁に有する幾つかの台形タブ（２９）を組み込む。この切り欠き（３０）は、孔（１７）を介して箱の側片（２）、（２'）と舌および溝型結合するための歯（３１）を生成する。
【００２６】
図３からわかるように、箱を組立てるための手順は、底片（１）の長辺（１０）、（１０’）とともに側片（２）、（２'）を互いに対向させて配置する。次いで、箱の端片（３）、（３'）を底片（１）の短辺（８）、（８'）上に置き、こうして４片を置いたら、タブ（１１）をスロット（１９）に弾性変形させて挿入しながら、側片（２）、（２'）を底片（１）に嵌める。同時に端片（３）、（３'）のタブ（２９）を箱の側片のスロット（１７）に挿入する。
【００２７】
タブ（２９）を挿入した後、箱の端片にいくらかの圧力を加えて、縦に下向きに移動させて係止すると、縁（２８）、（２８'）の上端部に近傍のタブのそばにある小さな楔（３２）が弾性変形して、その結果、スロット（１７）にこの楔が固定された後、図６および図７からわかるように、箱の端片が縦方向に動くのを防ぎ、引き抜かれるのを防ぐ。
【００２８】
上記のように加えた圧力を利用して、同じ動きで、箱の端片の下縁のタブ（２３）を、底片（１）の短辺（８）、（８’）にあるスロット（７）内に固定すると、箱は、何らかの種類の接着剤、ステープルまたは釘がなくても、上片を除いて、適切に組み立てられる。
【００２９】
箱の端片（３）、（３'）の上中央領域には、ハンドルとして用いる従来通りの楕円形の孔（３３）があり、その孔の上側中央領域には蓋（４）を結合するための小さなタブ（３４）がある。
【００３０】
図１および図５からわかるように、蓋（４）は、挿入される農産物の適切な通気のための、かつ内容物を見るのに役立てるための幾つかの孔（３５）を持つ基本的には矩形面を有する。
【００３１】
短辺（３６）、（３６'）の中央領域に、蓋（４）は、箱と結合するためのスロット（３８）を組み込んだ特定の延在部（３７）を有しているので、蓋（４）を箱の開口部に向けて対向させた後、僅かな弾性変形によって、延在部（３７）を箱の端片（３）、（３'）にある楕円形の孔（３３）を通して挿入でき、タブ（３４）をスロット（３８）に結合できる。
【００３２】
従って、転倒した場合に、箱内部に収納した農産物を蓋が抑える効果を有するとともに、孔（３５）によってハンドルとして、この蓋を用いることができるということを意味する。
【００３３】
図８および図９でわかるように、箱の端片のタブ（２９）の突起（３９）、および側片のスロット（１７）と縁（１６）、（１６'）との距離は、箱の間のスペーサを構成し、密接したパレット編成で並べる場合に、箱の表面が互いに接触するのを防ぎ、孔（４１）を介して箱内部の間の空気循環を容易にする。
【図面の簡単な説明】
【００３４】
本明細書に記載する説明を完全にするよう、実用的な実現に好適な実施例に従って本発明の特長をより理解することを確実にするために、１セットの図面をこの明細書に全面的に組み込むが、これら図面・明細書に示された事項は、説明のためのものであって、権利をこれらに限定する趣旨のものではない。
【図１】本発明の目的に従って作製された果物および野菜の農産物のための箱の分解平面図を示す。
【図２】底片を側片に結合するためのタブの平面図を示す。
【図３】組立ての中間段階の箱の透視図を示す。
【図４】蓋のない状態の組立てた箱の透視図を示す。
【図５】蓋をした状態の組立てた箱の透視図を示す。
【図６】箱の端片を側片に組立てる前の詳細の正面図を示す。
【図７】箱の端片の上部領域の組立てタブを側片に最終編成する詳細の正面図を示す。
【図８】幾つかの列にスタックした１セットの箱の正面図を示す。
【図９】幾つかの列にスタックした１セットの箱の平面図を示す。
【図１】
2008526626.tif 000003
【図２】
2008526626.tif 000004
【図３】
2008526626.tif 000005
【図４】
2008526626.tif 000006
【図５】
2008526626.tif 000007
【図６】
2008526626.tif 000008
【図７】
2008526626.tif 000009
【図８】
2008526626.tif 000010
【図９】
2008526626.tif 000011
【国際調査報告】
2008526626.tif 000012
2008526626.tif 000013
2008526626.tif 000014
2008526626.tif 000015